(57)【要約】【課題】画像形成装置の使用環境において電源コード等で制約された電力の中で、使用電力が所定の値以上になることなく空気清浄機を有効に使用できる画像形成装置を提供する【解決手段】単一の電源供給により動作する空気清浄機７１を備えた画像形成装置１００において、画像形成装置１００の各動作モードに対応して空気清浄機７１の動作モードを設定し、空気清浄機７１の動作モードを所定の条件に基づきグループ分けしたテーブルを備え、空気清浄機７１の動作モードは、各グループにおいて画像形成装置１００の動作モードの消費電力と空気清浄機７１の動作モードの消費電力との合計の消費電力が所定値以下になるよう設定され、テーブルに基づいて画像形成装置１００の動作モードに対応して空気清浄機７１の動作制御を行うことを特徴とするものとする。【選択図】図１
2011121272.tif 000002
【特許請求の範囲】
【請求項１】
単一の電源供給により動作する空気清浄装置を備えた画像形成装置において、
前記画像形成装置の各動作モードに対応して前記空気清浄装置の動作モードを設定したテーブルを備え、
前記空気清浄装置の動作モードは、所定の条件に基づきグループ分けされて、各グループにおいて前記画像形成装置の動作モードの消費電力と前記空気清浄装置の動作モードの消費電力との合計の消費電力が所定値以下になるよう設定され、
前記テーブルに基づいて前記画像形成装置の動作モードに対応して前記空気清浄装置の動作制御を行うことを特徴とする画像形成装置。
【請求項２】
前記画像形成装置の動作モードにおいて画像形成の定着ヒータがＯＮとなる動作モードの時は、前記空気清浄装置の動作モードにおいて送風ファンの回転数を下げる動作モードとすることを特徴とする請求項１に記載の画像形成装置。
【請求項３】
前記テーブルは、前記画像形成装置の動作モードに応じて前記画像形成装置の表示部を消灯または点灯する指示を含み、
前記テーブルによって前記空気清浄装置の動作制御と前記表示部の表示制御を行うことを特徴とする請求項１または２に記載の画像形成装置。
【請求項４】
前記画像形成装置の動作モードおいて画像形成の定着ヒータがＯＮとなる動作モードの時は、前記表示部を消灯することを特徴とする請求項３に記載の画像形成装置。
【請求項５】
前記画像形成装置の動作モードとして、少なくともウォームアップモードまたは画質調整モードを含むことを特徴とする請求項１乃至４のうちの何れか一項に記載の画像形成装置。
【請求項６】
前記画像形成装置の動作モードの消費電力と前記空気清浄装置の動作モードの消費電力との合計の消費電力が所定値以上の値になる場合は、前記画像形成装置の動作モードを禁止することを前記画像形成装置の表示部に表示することを特徴とする請求項１乃至５のうちの何れか一項に記載の画像形成装置。
【請求項７】
前記画像形成装置の動作モードの消費電力と前記空気清浄装置の動作モードの消費電力との合計の消費電力が所定値以上の値になる場合は、前記空気清浄装置の動作モードを手動で変更可能とすることを特徴とする請求項６に記載の画像形成装置。
【請求項８】
前記空気清浄装置の動作モードを手動で変更して前記画像形成装置の動作モードを終了した後、次に指示された前記画像形成装置の動作モードに対応する前記空気清浄装置の動作モードを前記テーブルに基づき設定することを特徴とする請求項７に記載の画像形成装置。
【請求項９】
前記空気清浄装置は、正イオン及び負イオンを同時に発生して放出することを特徴とすることを特徴とする請求項１乃至８のうちの何れか一項に記載の画像形成装置。
【発明の詳細な説明】
【技術分野】
【０００１】
本発明は、画像形成装置に係り、特に、空気清浄機を備えた複写機、プリンタ、ファクシミリ装置等の画像形成装置に関する。
【背景技術】
【０００２】
従来から、複写機、プリンタ及びファクシミリ等の電子写真方式の画像形成装置が知られている。電子写真方式の画像形成装置は、感光体ドラム（トナー像担持体）の表面に静電潜像を形成し、現像装置によって感光体ドラムに対してトナーを供給して前記静電潜像を現像し、現像によって感光体ドラムに形成されたトナー像を記録用紙等に転写して、定着装置によって記録用紙にトナー像を定着させるようになっている。
【０００３】
このような画像形成装置においては、画像形成を行うに際し、排出ガスが生じることがある。このような排出ガスを放置していたのでは、画像形成装置１００の利用者に不快感を与えてしまい、好ましくない。
【０００４】
そこで、このような問題の対策として、画像形成装置に空気清浄機を取付けて、画像形成装置付近の環境状態を良好にすることが考えられる。
【０００５】
しかしながら、画像形成装置の運転中に空気清浄機を動作させると消費電力が増大する。従来は、画像形成装置と空気清浄装置とを複合的に制御するものではなく、画像形成装置単体にて電力の効率化や節電を図ったり、電源コードの定格を超えないように制御を行うのみであった。
【０００６】
従来技術として、例えば、画像形成装置において、設定した目標消費電力を超えないように各機能部を制御するものが開示されている（特許文献１を参照）。
【先行技術文献】
【特許文献】
【０００７】
【特許文献１】特開２００９−１１６２２５号公報
【発明の概要】
【発明が解決しようとする課題】
【０００８】
しかしながら、特許文献１の構成においては、設定した目標消費電力を超えないように画像形成装置の各機能部を制御することに重点を置いており、単に、装置のモードもモニターしているに過ぎず、その状況によって空気清浄機を制御することにより、使用者にとって不便不快にならないようにするための有効な手段とはなっていない。
【０００９】
本発明は、上記従来の問題点に鑑みてなされたものであって、画像形成装置の使用環境において電源コード等で制約された電力の中で、使用電力が所定の値以上になることなく空気清浄機を有効に使用できる画像形成装置を提供することを目的とする。
【課題を解決するための手段】
【００１０】
上述した課題を解決するための本発明に係る画像形成装置は、次の通りである。
本発明は、単一の電源供給により動作する空気清浄装置を備えた画像形成装置において、前記画像形成装置の各動作モードに対応して前記空気清浄装置の動作モードを設定したテーブルを備え、前記空気清浄装置の動作モードを、所定の条件に基づきグループ分けして、各グループにおいて前記画像形成装置の動作モードの消費電力と前記空気清浄装置の動作モードの消費電力との合計の消費電力が所定値以下になるよう設定し、前記テーブルに基づいて前記画像形成装置の動作モードに対応して前記空気清浄装置の動作制御を行うことを特徴とするものである。
【００１１】
また、本発明は、前記画像形成装置の動作モードにおいて画像形成の定着ヒータがＯＮとなる動作モードの時は、前記空気清浄装置の動作モードにおいて送風ファンの回転数（風速）を下げる動作モードとして、消費電力を抑えることが好ましい。
【００１２】
また、本発明は、前記テーブルには、前記画像形成装置の動作モードに応じて前記画像形成装置の表示部を消灯または点灯する指示を含むものとして、前記テーブルによって前記空気清浄装置の動作制御と前記表示部の表示制御を行うことが好ましい。
【００１３】
また、本発明は、前記画像形成装置の動作モードにおいて画像形成の定着ヒータがＯＮとなる動作モードの時は、前記表示部を消灯することが好ましい。
【００１４】
また、本発明は、前記画像形成装置の動作モードとして、少なくともウォームアップモードまたは画質調整モードを含むことが好ましい。
【００１５】
本発明において、ウォームアップとは、例えば、画像形成装置に電源を投入してからコピー或いは印刷可能な状態（Ｒｅａｄｙ状態）になるまで状態をいうものとする。また、画質調整とは、例えば、感光体ドラム（像担持体）上に形成されたトナー像をセンサで読取り、そのトナー像のトナー濃度が所定の値以下であれば、現像バイアスを変えてトナー濃度が所定の値以上になるまで行うプロセスコントロールをいうこのとする。
尚、ウォームアップ及び画質調整は、長くかかる（約１分）場合もあり、その場合も空気清浄機の動作制御を行うことは効果的である。
【００１６】
また、本発明は、前記画像形成装置の動作モードの消費電力と前記空気清浄装置の動作モードの消費電力との合計の消費電力が所定値以上の値になる場合は、前記画像形成装置の動作モードを禁止することを前記画像形成装置の表示部に表示することが好ましい。
【００１７】
また、本発明は、前記画像形成装置の動作モードの消費電力と前記空気清浄装置の動作モードの消費電力との合計の消費電力が所定値以上の値になる場合は、前記空気清浄装置の動作モードを手動で変更可能することが好ましい。
【００１８】
また、本発明は、前記空気清浄装置の動作モードを手動で変更して前記画像形成装置の動作モードを終了した後、次に指示された前記画像形成装置の動作モードに対応する前記空気清浄装置の動作モードを前記テーブルに基づき設定することが好ましい。
【００１９】
また、本発明は、前記空気清浄装置の構成として、正イオン及び負イオンを同時に発生して放出することが好ましい。
【発明の効果】
【００２０】
本発明によれば、単一の電源供給により動作する空気清浄装置を備えた画像形成装置において、前記画像形成装置の各動作モードに対応して前記空気清浄装置の動作モードを設定したテーブルを備え、前記空気清浄装置の動作モードを、所定の条件に基づきグループ分けして、各グループにおいて前記画像形成装置の動作モードの消費電力と前記空気清浄装置の動作モードの消費電力との合計の消費電力が所定値以下になるよう設定し、前記テーブルに基づいて前記画像形成装置の動作モードに対応して前記空気清浄装置の動作制御を行うことで、画像形成装置の使用環境において電源コード等の限られた電力の制約の中で、使用電力が所定の値以上になることなく空気清浄機を有効に使用することができる。すなわち、画像形成装置における各動作モードで消費される電力が予め解っており、その画像形成装置の動作モードに応じて前記テーブルから空気清浄装置を動作制御するので、画像形成装置及び空気清浄機に使用される電力が所定の値以上になることはない。
【００２１】
また、本発明によれば、前記画像形成装置の動作モードおいて画像形成の定着ヒータがＯＮなる動作モードの時は、前記空気清浄装置の動作モードにおいて送風ファンの回転数（風速）を下げる動作モードとして、消費電力を抑えることで、画像形成装置及び空気清浄装置に使用される電力の合計が所定の値以上になることなく空気清浄機を有効に使用することができる。
【００２２】
また、本発明によれば、前記テーブルには、前記画像形成装置の動作モードに応じて前記画像形成装置の表示部を消灯または点灯する指示を含むものとして、前記テーブルによって前記空気清浄装置の動作制御と前記表示部の表示制御を行うことで、画像形成装置による消費電力を抑えて、空気清浄機のために電力を有効に使用することができる。
【００２３】
また、本発明によれば、前記画像形成装置の動作モードにおいて画像形成の定着ヒータがＯＮとなる動作モードの時は、前記表示部を消灯することで、画像形成装置による消費電力を抑えて、空気清浄機のために電力を有効に使用することができる。
【００２４】
また、本発明によれば、前記画像形成装置の動作モードとして、少なくともウォームアップモードまたは画質調整モードを含むことで、前記画像形成装置の動作に応じて前記空気清浄機を有効に使用することができる。
【００２５】
また、本発明によれば、前記画像形成装置の動作モードの消費電力と前記空気清浄装置の動作モードの消費電力との合計の消費電力が所定値以上の値になる場合は、前記画像形成装置の動作モードを禁止することを前記画像形成装置の表示部に表示することで、前記画像形成装置及び前記空気清浄機に使用される電力の合計が所定の値以上になること防止することができる。
【００２６】
また、本発明によれば、前記画像形成装置の動作モードの消費電力と前記空気清浄装置の動作モードの消費電力との合計の消費電力が所定値以上の値になる場合は、前記空気清浄装置の動作モードを手動で変更可能することで、例えば、前記画像形成装置において消費電力の大きいコピーモードを使用したい場合、空気清浄装置のファンの回転数を低速或いはＯＦＦに設定できるので消費電力が所定以上になることはない。
【００２７】
また、本発明によれば、前記空気清浄装置の動作モードを手動で変更して前記画像形成装置の動作モードを終了した後、次に指示された前記画像形成装置の動作モードに対応する前記空気清浄装置の動作モードを前記テーブルに基づき設定することで、手動で設定されていても、前記画像形成装置の各装置のモードに応じて自動的に空気清浄装置のモードに変更するので、使用電力が所定の値以上になることはない。
【００２８】
また、本発明によれば、前記空気清浄装置の構成として、正イオン及び負イオンを同時に発生して放出することで、送風とともに効果的に正イオン及び負イオンを吹出すことができる。
【図面の簡単な説明】
【００２９】
【図１】本発明を実施する形態の一例であって、本発明の第１実施形態に係る空気清浄機を備えた画像形成装置の全体の構成を示す説明図である。
【図２】（ａ）は前記空気清浄機により前記画像形成装置周辺に送風する状態を示す説明図、（ｂ）は前記空気清浄機により前記画像形成装置から遠くに渡り送風する状態を示す説明図である。
【図３】前記空気清浄機の構成を示す説明図である。
【図４】前記空気清浄機を構成するイオン発生器のイオン発生素子の構成を示す説明図である。
【図５】前記画像形成装置において空気清浄機からの空気の吹出し方向を上方向に設定した状態を示す説明図である。
【図６】前記画像形成装置において前記空気清浄機からの空気の吹出し方向を斜め下方に設定した状態を示す説明図である。
【図７】第１実施形態に係る画像形成装置の各動作モードに対応して空気清浄機の動作モードを設定したテーブルを示す表である。
【図８】前記画像形成装置を構成する操作部の構成を示す説明図である。
【図９】前記操作部の表示部における表示例であって、（ａ）は「コピーモード禁止」の表示例を示す説明図、（ｂ）は「手動モード」の表示例を示す説明図、（ｃ）は「コピーモード」の表示例を示す説明図である。
【図１０】第１実施形態に係る画像形成装置において動作テーブルにより空気清浄機の動作制御を行うときのフローチャートである。
【図１１】前記画像形成装置において動作テーブルによる空気清浄機の動作制御に加えて手動で空気清浄機の動作制御を行うときのフローチャートである。
【図１２】本発明の第２実施形態に係る空気清浄機を備えた画像形成装置の構成を示す説明図である。
【図１３】前記空気清浄機の構成を示す説明図である。
【図１４】前記空気清浄機による空気の吹出し方向を斜め下方に設定した状態を示す説明図である。
【図１５】前記画像形成装置において前記空気清浄機による空気の吹出し方向を上方向に設定した状態を示す説明図である。
【図１６】前記画像形成装置において前記空気清浄機による空気の吹出し方向を斜め下方に設定した状態を示す説明図である。
【発明を実施するための形態】
【００３０】
（第１実施形態）
以下、本発明の実施形態について図面を参照して詳細に説明する。
図１は本発明を実施する形態の一例であって、本発明の第１実施形態に係る空気清浄機を備えた画像形成装置の全体の構成を示す説明図である。
【００３１】
本実施形態に係る画像形成装置１００は、図１に示すように、単一の電源供給により動作する空気清浄機（空気清浄装置）７１を備えた画像形成装置１００において、空気清浄機７１の動作制御を行うために、本発明に係る画像形成装置に用いる特徴的な空気清浄機の動作制御を採用したことを特徴とするものである。
【００３２】
まず、本実施形態に係る画像形成装置１００の全体構成について説明する。
画像形成装置１００は、図１に示すように、原稿読取り装置１０１により読取られた原稿の画像又は外部から受信した画像をカラーもしくは単色で記録用紙に記録形成するものである。
【００３３】
原稿読取り装置１０１は、原稿搬送部４２により搬送されている原稿画像を読取る。
原稿搬送部４２では、原稿が原稿セットトレイ４１にセットされると、原稿ピックアップローラ４４が原稿表面に押し付けられて回転され、原稿が原稿セットトレイ４１から引き出され、原稿がサバキローラ４５と分離パッド４６間を通過して１枚ずつに分離されてから搬送経路４７へと搬送される。
【００３４】
搬送経路４７では、原稿の先端が原稿レジストローラ４９に当接して、原稿の先端が原稿レジストローラ４９と平行に揃えられ、この後に原稿が原稿レジストローラ４９により搬送されて読取りガイド５１と読取りガラス５２間を通過する。更に、原稿は、搬送ローラ５７により搬送され、排紙ローラ５８を介して排紙トレイ５９に排出される。
【００３５】
原稿読取り装置１０１では、原稿が読取りガイド５１と読取りガラス５２間を通過するに際し、第１走査部５３の光源の光が読取りガラス５２を介して原稿表面に照射され、その反射光が読取りガラス５２を介して第１走査部５３に入射し、この反射光が第１及び第２走査部５３、５４のミラーで反射されて結像レンズ５５へと導かれ、結像レンズ５５によって原稿の画像がＣＣＤ（Charge Coupled Device）５６上に結像される。
ＣＣＤ５６は、原稿の画像を読取り、原稿の画像を示す画像データを出力する。
【００３６】
また、原稿読取り装置１０１は、原稿台ガラス６１上に載置された原稿を読取ることができる。
【００３７】
すなわち、原稿搬送部４２は、原稿読取り装置１０１の背面側で開閉可能に枢支されており、この原稿搬送部４２が開かれると、原稿台ガラス６１が解放されて、原稿台ガラス６１上に原稿を手置きで載置することができる。
【００３８】
原稿が載置されて、原稿搬送部４２が閉じられると、第１及び第２走査部５３、５４が副走査方向に移動されつつ、第１走査部５３によって原稿台ガラス６１上の原稿表面が露光され、第１及び第２走査部５３、５４によって原稿表面からの反射光が結像レンズ５５へと導かれ、結像レンズ５５によって原稿の画像がＣＣＤ５６上に結像される。
【００３９】
このとき、第１及び第２走査部５３、５４が相互に所定の速度関係を維持しつつ移動されて、原稿表面→第１及び第２走査部５３、５４→結像レンズ５５→ＣＣＤ５６という反射光の光路の長さが変化しないように第１及び第２走査部５３、５４の位置関係が常に維持され、これによりＣＣＤ５６上での原稿の画像のピントが常に正確に維持される。
【００４０】
こうして読取られた原稿の画像全体は、画像データとして画像形成装置１００のレーザ露光装置１へと送受され、画像形成装置１００において画像が記録用紙に記録される。
【００４１】
一方、画像形成装置１００は、主にレーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等により構成されている。
【００４２】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。
【００４３】
従って、現像装置２、感光体ドラム３、帯電器５、クリーナ装置４は、各色に応じた４種類の潜像を形成するようにそれぞれ４個ずつ設けられ、それぞれがブラック、シアン、マゼンタ、及びイエローに対応付けられて、４つの画像ステーションＰａ，Ｐｂ，Ｐｃ，Ｐｄが構成されている。
【００４４】
帯電器５は、感光体ドラム３の表面を所定の電位に均一に帯電させるための帯電手段であり、図１に示すようなチャージャ型の他、接触型のローラ型やブラシ型の帯電器などが用いられる。
【００４５】
レーザ露光装置１は、レーザダイオード及び反射ミラーを備えたレーザスキャニングユニット（ＬＳＵ）であり、帯電された感光体ドラム３表面を外部から入力した画像データまたは原稿から読み取って得られた画像データに応じて露光して、その表面に画像データに対応する静電潜像を形成する。
【００４６】
このレーザ露光装置１には、レーザビームを走査するポリゴンミラーと、ポリゴンミラーによって反射されたレーザ光を感光体ドラム３に導くためのレンズやミラー等の光学要素が配置されている。
【００４７】
現像装置２は、それぞれの感光体ドラム３上に形成された静電潜像を（Ｋ，Ｃ，Ｍ，Ｙ）のトナーにより現像するものである。
【００４８】
感光体ドラム３は、円筒状を呈し、画像形成装置１００のほぼ中央で、レーザ露光装置１の上方に配設され、その表面がクリーナ装置４によりクリーニングされ、クリーニングされた表面が帯電器５により均一に帯電される。
【００４９】
クリーナ装置４は、現像及び画像転写後に感光体ドラム３表面に残留したトナーを除去及び回収する。
【００５０】
感光体ドラム３の上方に配置されている中間転写ベルト装置８は、無端状の中間転写ベルト７、中間転写ベルト駆動ローラ２１、従動ローラ２２、中間転写ローラ６、及び中間転写ベルトクリーニング装置９を備えている。中間転写ローラ６は、Ｙ，Ｍ，Ｃ，Ｋの各色に対応して４本設けられている。
【００５１】
中間転写ベルト駆動ローラ２１、中間転写ローラ６、従動ローラ２２等は、中間転写ベルト７を張架して支持し、中間転写ベルト７を矢印Ｃ方向に周回移動させる。
【００５２】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【００５３】
中間転写ベルト７は、厚さ１００μｍ〜１５０μｍ程度のフィルムを用いて無端ベルト状に形成され、各感光体ドラム３に接触するように設けられている。そして、各感光体ドラム３表面のトナー像を中間転写ベルト７に順次重ねて転写することによって、カラーのトナー像（各色のトナー像）を形成する。
【００５４】
感光体ドラム３から中間転写ベルト７へのトナー像の転写は、中間転写ベルト７裏面に圧接されている中間転写ローラ６によって行われる。
【００５５】
各中間転写ローラ６は、中間転写ベルト７に対して感光体ドラム３のトナー像を中間転写ベルト７上に転写するための転写バイアスを与えるようにされている。詳しくは、中間転写ローラ６には、トナー像を転写するために高電圧の転写バイアス（トナーの帯電極性（−）とは逆極性（＋）の高電圧）が印加されている。
【００５６】
中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。尚、本実施形態では、転写電極としてローラ形状の中間転写ローラ６を使用しているが、それ以外にブラシなども用いることが可能である。
【００５７】
上述したように、各感光体ドラム３表面に顕像化されたトナー像は、中間転写ベルト７で積層され、画像データによって示されるカラーのトナー像となる。このように積層された各色のトナー像は、中間転写ベルト７とともに搬送されて、中間転写ベルト７と接触する２次転写装置１１の転写ローラ１１ａによって記録用紙上に転写される。
【００５８】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための２次転写バイアスが印加される。この２次転写バイアスは、トナーの帯電極性（−）とは逆極性（＋）の高電圧である。
【００５９】
さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００６０】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収するように構成されている。
【００６１】
中間転写ベルトクリーニング装置９は、中間転写ベルト７が搬送される経路上で、中間転写ベルト搬送方向において転写ローラ１１ａより下流側で感光体ドラム３よりも上流側に設けられている。
【００６２】
中間転写ベルトクリーニング装置９には、例えば、クリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００６３】
給紙トレイ１０は、記録用紙を格納しておくためのトレイであり、画像形成装置１００の画像形成部（レーザ露光装置１）の下側に設けられて、トレイ内の記録用紙を供給する。
【００６４】
また、画像形成装置１００には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【００６５】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【００６６】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙の所定の位置に転写されるように、感光体ドラム３及び中間転写ベルト７の回転にあわせて、記録用紙をタイミングよく搬送する。
【００６７】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００６８】
定着装置１２は、加熱ローラ３１及び加圧ローラ３２等を備えている。加熱ローラ３１及び加圧ローラ３２は、中間転写ベルト７と２次転写装置１１の転写ローラ１１ａ間のニップ域を通過して来た記録用紙を挟み込んで搬送する。
【００６９】
加熱ローラ３１は、図示しない温度検出器の検出出力に基づき、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【００７０】
各色のトナー像の定着後の記録用紙は、搬送ローラによって用紙排出トレイ１５上にフェイスダウンで排出される。
【００７１】
次に、第１実施形態に係る特徴的な画像形成装置１００の構成について説明する。
図２（ａ）は第１実施形態に係る空気清浄機により画像形成装置周辺に送風する状態を示す説明図、（ｂ）は前記空気清浄機により画像形成装置から遠くに渡り送風する状態を示す説明図である。
【００７２】
本実施形態の画像形成装置１００は、図１及び図２（ａ），（ｂ）に示すように、画像形成装置１００の本体の上方に空気清浄機７１を備えた画像形成装置である。
【００７３】
画像形成装置１００は、図２（ａ），（ｂ）に示すように、装置本体の背面片側のコーナー１００ａに支柱７２が突設されており、この支柱７２の上端に空気清浄機７１が配置されている。この空気清浄機７１は、イオン発生装置であって、専用のコンセントや電源回路を備えるものでなく、画像形成装置１００の図示しない電源回路からの電源を使用（単一の電源供給）する構成である。
【００７４】
空気清浄機７１は、支柱７２の上端において、空気清浄機７１の一端側に設けられた支持軸７１ａが矢印Ｆ方向に回転可能に軸支されている。支持軸７１ａは、モータ駆動ユニット７３の出力軸に接続されている。
【００７５】
空気清浄機７１は、モータ駆動ユニット７３により支持軸７１ａが往復回転駆動されることで、矢印Ｆ方向及び逆方向に往復回転され、空気清浄機７１から吹出される正イオン及び負イオンの放出方向が矢印Ｄ方向及び矢印Ｅ方向の何れかの方向に変更されるようになっている。
【００７６】
モータ駆動ユニット７３は、図１に示すように、画像形成装置１００に内蔵の制御部７４に接続され、制御部７４により駆動制御される。
【００７７】
制御部７４は、モータ駆動ユニット７３の制御だけではなく、画像形成装置１００全体の制御を司っており、画像形成装置１００の動作状態に応じてモータ駆動ユニット７３を駆動制御して、空気清浄機７１の回転位置を制御し、空気清浄機７１から吹出されるイオンの放出方向を矢印Ｄ方向及び矢印Ｅ方向の何れかの向きに設定する。
【００７８】
このように、空気清浄機７１に正イオン及び負イオンを発生させるようにして、図２（ａ）に示すように、空気清浄機７１から正イオン及び負イオンを斜め下方（矢印Ｄ方向）に放出することにより、エアーカーテンのように正イオン及び負イオンが主に画像形成装置１００の本体前側を覆って、画像形成装置１００からの排出ガスの臭気が除去することができる。
【００７９】
このように、空気清浄機７１により正イオン及び負イオンを画像形成装置１００の外部から吹きかけることにより、画像形成装置１００が発生する排出ガスの影響を効果的に抑えられることが実験で確認されている。
【００８０】
また、画像形成装置１００の待機状態においては、排出ガスが発生しないため、図２（ｂ）に示すように空気清浄機７１からの正イオン及び負イオンの放出方向を矢印Ｅ方向に示すような上方向に変更して、正イオン及び負イオンを室内全体に流して拡散させ、正イオン及び負イオンにより空気中の浮遊細菌を除去して、空気の浄化を広い範囲で行うようにしている。
【００８１】
次に、第１実施形態の特徴的な空気清浄機７１について図面を参照して詳細に説明する。図３は第１実施形態に係る空気清浄機の構成を示す説明図、図４は前記空気清浄機を構成するイオン発生器のイオン発生素子の構成を示す説明図である。
【００８２】
空気清浄機７１は、図１に示すように、画像形成装置１００の上部に正面視で幅方向に渡り構成されている。そして、空気清浄機７１は、図３に示すように、本体筐体８１、本体筐体８１の下部に配置されたファンユニット８２、本体筐体８１の下側壁に形成された複数の吸入孔８１ａとファンユニット８２の吸入口８２ａとの間に配置された吸入ダクト８３、本体筐体８１の上部に形成された上部吹き出し口８１ｂとファンユニット８２の吹き出し口８２ｂとの間に配置された吹き出しダクト８４、及びファンユニット８２の周囲に配置された複数のイオン発生素子８５を備えている。
【００８３】
また、空気清浄機７１は、図１及び図２（ａ），（ｂ）に示すように、画像形成装置１００の幅方向に長く構成されているため、本体筐体８１、ファンユニット８２、各吸入孔８１ａ、吸入ダクト８３、放出口８２ｂ、及び吹き出しダクト８４も画像形成装置１００の幅方向に長く、また複数のイオン発生素子８５を画像形成装置１００の幅方向に配列している。
【００８４】
ファンユニット８２のファン８２ｃは、図３に示すように、図示しない駆動モータにより回転駆動されると、矢印Ｇ方向に示すような上方向に向う空気流を発生し、空気を各吸入孔８１ａから吸入ダクト８３を通じてファンユニット８２内へと吸入し、空気を各イオン発生素子８５近傍に流してから、空気を吹き出しダクト８４を通じて上部吹き出し口８１ｂから放出する。
【００８５】
このファン８２ｃの駆動モータ（図示省略）は、モータ駆動ユニット７３と同様に、画像形成装置１００に内蔵の制御部７４に接続され、制御部７４により駆動制御される。
【００８６】
各イオン発生素子８５は、プラズマクラスターイオン（登録商標）発生素子（ＰＣＩ）である。図３の矢印Ａ方向から各イオン発生素子８５を見ると、図４に示すように、２個のイオン発生素子８５が画像形成装置１００の幅方向に並設され、イオン発生素子８５毎に、正イオンを発生する一対の正イオン発生部８５ａと、負イオンを発生する一対の負イオン発生部８５ｂとが配列されている。
【００８７】
このイオン発生素子８５により発生された正イオン及び負イオンは、ファンユニット８２のファン８２ｃにより発生された空気流と共に吹き出しダクト８４を通じて上部吹き出し口８１ｂから放出される。
【００８８】
本実施形態では、制御部７４（図１を参照）は、先に述べたように画像形成装置１００全体の制御を行うとともに、空気清浄機７１の動作制御を行う機能を備えている。
具体的には、電源スイッチがオンになると、予め設定された手順で画像形成装置１００の各部を駆動制御して、画像形成装置１００を待機状態に設定する。
【００８９】
画像形成装置１００は、待機状態においては、操作パネル７５からの入力操作により原稿画像の複写を指示することができる。
制御部７４は、操作パネル７５の入力操作に基づく複写を指示する印刷指示信号を入力すると、この印刷指示信号に応答して画像形成装置１００の動作を開始して、画像形成装置１００の動作状態を設定し、原稿画像を読取り、読取った原稿画像を記録用紙に複写する。この場合は、画像形成装置１００が複写機として機能する。
【００９０】
また、画像形成装置１００は、ネットワークに接続されたインターフェース７６を備えており、ネットワークＮを通じてパーソナルコンピュータ等の外部端末装置（図示せず）に接続され、外部端末装置からインターフェース７６へと画像及び印刷指示信号を受信する。
【００９１】
制御部７４は、この受信した画像及び印刷指示信号を入力し、この印刷指示信号に応答して画像形成装置１００の動作を開始して、画像形成装置１００の動作状態を設定し、この画像を記録用紙に印刷する。この場合、画像形成装置１００は、プリンタとして機能する。
【００９２】
更に、印刷処理が終了した後、印刷処理が実行されないまま一定時間が経過すると、画像形成装置１００が再び待機状態となり、次の印刷指示信号の入力が待機される。
尚、待機状態とは、印刷処理が実行されていない状態であって、直ちに印刷処理の実行に移れる状態である。
【００９３】
ここで、第１実施形態に係る空気清浄機７１による空気の吹出し動作（作用）について図面を参照して説明する。
図５は第１実施形態の画像形成装置において空気清浄機からの空気の吹出し方向を上方向に設定した状態を示す説明図、図６は前記画像形成装置において前記空気清浄機からの空気の吹出し方向を斜め下方に設定した状態を示す説明図である。
【００９４】
本実施形態の画像形成装置１００において、制御部７４により画像形成装置１００を待機状態に設定すると、モータ駆動ユニット７３を駆動制御して、空気清浄機７１の回転位置を制御し、図２（ｂ）及び図５に示すように空気清浄機７１からのイオンの放出方向を上方向（矢印Ｅ方向）に設定する。
【００９５】
これにより、空気清浄機７１から吹出される正イオン及び負イオンが室内全体に流れて拡散し、正イオン及び負イオンにより空気中の浮遊細菌が除去されて、空気の浄化が広い範囲で行われる。
【００９６】
一般に、画像形成装置１００の待機状態の設定時間は、その動作状態の設定時間よりも長いため、画像形成装置１００の待機状態のときに空気清浄機７１から吹出される正イオン及び負イオンが室内全体に流れて拡散されれば、空気の浄化が効果的になされる。
【００９７】
このとき、制御部７４は、モータ駆動ユニット７３の駆動制御により空気清浄機７１を支持軸７１ａ周りの一定角度範囲で往復回転させてもよい。すなわち、空気清浄機７１をスイング動作させることにより、正イオン及び負イオンの放出範囲を広げることができる。
【００９８】
あるいは、制御部７４は、ファンユニット８２のファン８２ｃのモータの駆動制御によりファン８２ｃの回転速度を速くしてもよい。これによって、空気清浄機７１から吹出される空気の放出速度及び放出量が増大し、正イオン及び負イオンの放出範囲がより広げることができる。
【００９９】
また、制御部７４により画像形成装置１００を動作状態に設定すると、モータ駆動ユニット７３を駆動制御して、空気清浄機７１の回転位置を制御し、図２（ａ）及び図６に示すように空気清浄機７１からのイオンの放出方向を斜め下方（矢印Ｄ方向）に設定する。
【０１００】
これにより、空気清浄機７１から吹出される正イオン及び負イオンにより主に画像形成装置１００の本体前側が覆われて、排出ガスの臭気が除去される。通常、利用者が画像形成装置１００の本体前側に立つので、正イオン及び負イオンを矢印Ｄ方向の向きに放出して、正イオン及び負イオンにより画像形成装置１００の本体前側を主に覆うようにすることで、利用者周辺の排出ガスの臭気を効果的に除去することができる。
【０１０１】
このときにも、制御部７４は、モータ駆動ユニット７３の駆動制御により空気清浄機７１を支持軸７１ａ周りの一定角度範囲で往復回転させ、空気清浄機７１をスイング動作させてもよい。
【０１０２】
あるいは、制御部７４は、ファンユニット８２のファン８２ｃのモータの駆動制御によりファン８２ｃの回転速度を遅くしてもよい。これによって、空気清浄機７１から吹出される空気が穏やかに放出され、空気の流れが矢印Ｄ方向で示すように徐々に下方に曲がる曲線を描き、空気が画像形成装置１００の本体前側に立った利用者に強く吹き付けられることを抑制して、正イオン及び負イオンを画像形成装置１００の上に穏やかに拡散させて、正イオン及び負イオンにより画像形成装置１００の本体前側を確実に覆うことが可能になる。
【０１０３】
以上のように構成された空気清浄機７１は、画像形成装置１００に設けられた動作テーブルに基づき、画像形成装置１００の動作状態に応じて動作制御されている。
【０１０４】
次に、第１実施形態における空気清浄機７１の動作制御を行うための動作テーブルについて図面を参照して詳細に説明する。
図７は第１実施形態に係る画像形成装置の各動作モードに対応して空気清浄機の動作モードを設定した動作テーブルを示す表である。
【０１０５】
画像形成装置１００は、画像形成装置１００の各動作モードに対応して空気清浄機７１の動作モードを設定し、空気清浄機７１の動作モードを所定の条件に基づきグループ分けした動作テーブルを備えて、この動作テーブルに基づき画像形成装置１００の動作状態に応じて空気清浄機７１の運転を制御することを特徴としている。
【０１０６】
空気清浄機７１の動作モードは、各グループにおいて画像形成装置１００の動作モードの消費電力と空気清浄機７１の動作モードの消費電力との合計の消費電力が所定値以下になるよう設定されている。
【０１０７】
尚、電源コードは、仕様にもよるが、コードに流す電流が決まっており、それ以上電流を流さないように、装置本体、コードの仕様を決めている。
【０１０８】
また、所定値とは、ここでは、電源コードを流れる電流が予め決まった電源コードの定格電流値より小さい値とする。その他として、公に画像形成装置として設定した消費電力より小さい値である。
【０１０９】
画像形成装置１００に備える動作テーブルは、図７に示すように、画像形成装置１００の各動作モードに対応して空気清浄機７１の動作モードを設定したものである。
【０１１０】
画像形成装置１００の動作モードとして、コピーモード、プリンタモード、ＦＡＸ受信モード、ＦＡＸ送信モード、ウォームアップモード、スキャナモード、画質調整モード、レディモード、予熱モードを備えている。
【０１１１】
具体的には、コピーモードは、読取った画像を印刷するモードである。プリンタモードは、パソコン（端末）等から送信されたデータに基づき印刷するモードである。ＦＡＸ受信モードは、ＦＡＸ受信してその受信したデータを印刷するモードである。ＦＡＸ送信モードは、画像形成装置１００により原稿を読取りその読取った原稿の画像データをＦＡＸ送信するモードである。ウォームアップモードは、画像形成装置１００の電源を投入してからウォーミングアップを行うモードである。スキャナモードは、画像形成装置１００により原稿を読取りその読取った画像データをパソコン等に送信するモード、画質調整モードは、プロセスコントロールを行うモード、レディモードは、待機状態となるモード、予熱モードは、ＣＰＵやＦＡＸ受信（待機）などの限られたものだけに通電しているモードである。
【０１１２】
第１実施形態においては、画像形成装置１００の動作モードは、画像形成装置１００の消費電力、空気清浄機７１の動作状態、画像形成装置１００の表示状態でグループ分けされている。
【０１１３】
画像形成装置１００の動作モードは、それぞれ消費電力に応じて消費電力の大きい順にＡ，Ｂ，Ｃ，Ｄ，Ｅの５つにグループ分けされている。
具体的には、コピーモードは「Ａ」、プリンタモードは「Ｂ」、ＦＡＸ受信モードは「Ｂ」、ウォームアップモードは「Ｂ」、スキャナモードは「Ｃ」、ＦＡＸ送信モードは「Ｃ」、画質調整モードは「Ｃ」、レディモードは「Ｄ」、予熱モードは「Ｅ」としている。
【０１１４】
コピーモード、プリンタモード、ＦＡＸ受信モード、ウォームアップモードでは、定着装置１２の定着ヒータの電源がＯＮされるので消費電力が大きくなる。尚、レディモードでは、定着ヒータの電源はＯＮされているが待機状態で運転されるため消費電力は少ない。
【０１１５】
空気清浄機７１の動作状態は、運転状態の消費電力に応じて、消費電力の少ない順に「低速／ＯＦＦ」、「中速」、「中〜高」、「高速」の４つのモードにグループ分けされている。
【０１１６】
画像形成装置１００において、定着ヒータが一番消費電力を必要とする。そのため、定着ヒータのＯＮ、ＯＦＦを一つの条件として、空気清浄機７１の動作を制御するようにしてもよい。
【０１１７】
また、空気清浄機７１のファン８２ｃの回転数を上げれば消費電力はあがる。そこで、本実施形態では、空気清浄機７１のファン８２ｃの回転数を規定したが、図４に示すように、複数のイオン発生素子８５があった場合、動作させるユニットの数を変更して消費電力を調整するようにしてもよい。
【０１１８】
画像形成装置１００の表示状態は、図８に示す操作部１７の表示部１９の表示状態に応じて「点灯」、「消灯」でグループ分けされている。すなわち、操作部１７の表示部１９の表示を消すことで消費電力を下げることができるので、消費電力を調整することができる。
【０１１９】
例えば、画像形成装置１００において、動作モードとしてコピーモードを設定した場合、制御部７４により動作テーブルに基づき、空気清浄機７１の動作モードは「低速／ＯＦＦ」が設定される。そして、画像形成装置１００の表示部１９は点灯されている。
【０１２０】
制御部７４は、上述した動作テーブルに基づき、画像形成装置１００の動作モードに応じて空気清浄機７１の動作モードを設定して空気清浄機７１の運転を制御する機能と、手動により空気清浄機７１の動作モードを変更可能とする機能を備えている。
【０１２１】
また、制御部７４は、さらに、空気清浄機７１の動作モードを手動で変更可能に設定された場合に、次に指示された画像形成装置１００の動作モードが実行される時に、再び動作テーブルに基づいて画像形成装置１００の各動作モードに応じて自動的に空気清浄機７１の動作モードを設定するようにされている。これにより、画像形成装置１００と空気清浄機７１との使用電力の合計が所定値以上になることはない。
【０１２２】
ここで、画像形成装置１００に備わる操作部１７について図面を参照して説明する。
図８は第１実施形態に係る画像形成装置を構成する操作部の構成を示す説明図、図９は前記操作部の表示部における表示例であって、（ａ）は「コピーモード禁止」の表示例を示す説明図、（ｂ）は「手動モード」の表示例を示す説明図、（ｃ）は「コピーモード」の表示例を示す説明図である。
【０１２３】
操作部１７は、図８に示すように、各種入力キーからなる入力部１８と、液晶ディスプレイ等の表示部１９とを有し、装置全体の操作や各種設定の入力が行われ、入力内容や装置全体の動作状況が表示される。
なお、表示部１９は、タッチパネルとされ、ここから入力操作可能とされる。
表示部１９において、符号１９１はプリンタキー、１９２はファックス／イメージ送信キー、１９３はコピーキーを示すものである。
【０１２４】
操作部１７には、コピーキー１９３を押すとコピーモードに入り、ファックス／イメージ送信キー１９２を押すと、表示画面が変わり、その表示画面で、ＦＡＸ送信モード、スキャナモードが選択可能となる。
【０１２５】
次に、表示部１９に表示される内容について説明する。
例えば、空気清浄機７１の動作状態（ファン回転数）が高速となっているときに、図８に示すように、コピーモードボタンを選択し、コピーキー１９３を押して実行すると、消費電力の合計が所定値を超えるようなる。こそで、図９（ａ）に示すように、表示部１９に「コピーモードはできません」と表示して、コピーモードの使用を禁止する。
【０１２６】
また、どうしてもコピーモードを使用したい場合、空気清浄機７１のファンの回転数を低速或いはＯＦＦに設定できるので消費電力が所定以上になることはない。この場合、消す、弱、中、強のアイコンを押すことになる。
【０１２７】
しかし、図７に示す動作テーブルのように、画像形成装置１００の動作モードがコピーモードの場合、空気清浄機７１を停止するか低速で運転するようされているため、図９（ｂ）において「中」や「強」を選択すると「選択できません」と表示されるか、図９（ｃ）に示すように、設定できないキーはグレー表示させて機能しないようにしておく。
【０１２８】
次に、画像形成装置１００における空気清浄機７１の動作制御についてフローチャートに基づき説明する。
図１０は第１実施形態に係る画像形成装置において動作テーブルにより空気清浄機の動作制御を行うときのフローチャートである。
【０１２９】
画像形成装置１００において、図７に示す動作テーブルを用いて空気清浄機７１の動作を自動制御で行う場合は、図１０に示す動作フローに沿って行われる。
【０１３０】
まず、画像形成装置１００に電源がＯＮされると（ステップＳ１）、画像形成装置１００の動作モードが検出され（ステップＳ２）、空気清浄機７１の動作モードが検出されて（ステップＳ３）、検出された画像形成装置１００の動作モードと空気清浄機７１の動作モードを動作テーブルに照らし合わせ（ステップＳ４）、画像形成装置１００の動作モードと空気清浄機７１の動作モードの消費電力の合計が所定値を超えているか否かが判断される（ステップＳ５）。
【０１３１】
ステップＳ５において、画像形成装置１００の動作モードと空気清浄機７１の動作モードの合計の消費電力が所定値を超えていないと判断された場合は、画像形成装置１００の動作モードと空気清浄機７１の動作モードを記憶して、次の指示があるまでこの動作モードを維持する（ステップＳ８）。
【０１３２】
一方、ステップＳ５において、画像形成装置１００の動作モードと空気清浄機７１の動作モードの合計の消費電力が所定値を超えていると判断された場合は、動作テーブルに沿って空気清浄機７１の動作モードを変更（設定）して（ステップＳ６）、再び、画像形成装置１００の動作モードと空気清浄機７１の動作モードの消費電力の合計が所定値を超えているか否かが判断される（ステップＳ７）。
【０１３３】
ステップＳ７において、画像形成装置１００の動作モードと空気清浄機７１の動作モードの合計の消費電力が所定値を超えていると判断された場合は、再び、動作テーブルに沿って空気清浄機７１の動作モードを変更（設定）して（ステップＳ６）、再び、画像形成装置１００の動作モードと空気清浄機７１の動作モードの消費電力の合計が所定値を超えているか否かが判断される（ステップＳ７）。
【０１３４】
ステップＳ７において、画像形成装置１００の動作モードと空気清浄機７１の動作モードの合計の消費電力が所定値を超えていないと判断された場合は、ステップＳ８に進み、画像形成装置１００の動作モードと空気清浄機７１の動作モードを記憶して終了する。
【０１３５】
このようにして、動作テーブルに基づき画像形成装置１００の動作モードに応じて空気清浄機７１の動作モードが設定されるので、画像形成装置１００の動作モードと空気清浄機７１の動作モードの合計の消費電力が所定値を超えることなく、最適な状態で空気清浄機７１の動作制御を行うことができる。
【０１３６】
次に、画像形成装置において動作テーブルによる空気清浄機の動作制御に加えて、手動で空気清浄機の動作モードを切換えて空気清浄機の制御を行う場合について説明する。
図１１は第１実施形態に係る画像形成装置において動作テーブルによる空気清浄機の動作制御に加えて手動で空気清浄機の動作制御を行うときのフローチャートである。
【０１３７】
画像形成装置１００において、図７に示す動作テーブルによる動作制御に加えて、手動で空気清浄機７１の動作制御を行う場合は、図１１に示す動作フローに沿って行われる。
【０１３８】
まず、画像形成装置１００に電源がＯＮされると（ステップＳ１０１）、画像形成装置１００の動作モードが検出され（ステップＳ１０２）、空気清浄機７１の動作モードが検出されて（ステップＳ１０３）、検出された画像形成装置１００の動作モードと空気清浄機７１の動作モードを動作テーブルに照らし合わせ（ステップＳ１０４）、空気清浄機７１の動作モードを手動で変更可能な状態にして（ステップＳ１０５）、画像形成装置１００の動作モードと空気清浄機７１の動作モードの消費電力の合計が所定値を超えているか否かが判断される（ステップＳ１０６）。
【０１３９】
ステップＳ１０６において、画像形成装置１００の動作モードと空気清浄機７１の動作モードの合計の消費電力が所定値を超えていないと判断された場合は、画像形成装置１００の動作モードと空気清浄機７１の動作モードを記憶して、次の指示があるまでこの動作モードを維持する（ステップＳ１１０）。
【０１４０】
一方、ステップＳ１０６において、画像形成装置１００の動作モードと空気清浄機７１の動作モードの合計の消費電力が所定値を超えていると判断された場合は、画像形成装置１００の表示部１９に消費電力が所定値を超えている旨の警告表示をして（ステップＳ１０７）、空気清浄機７１の動作モードを手動で変更（設定）して（ステップＳ１０８）、再び、画像形成装置１００の動作モードと空気清浄機７１の動作モードの消費電力の合計が所定値を超えているか否かが判断される（ステップＳ１０９）。
【０１４１】
ステップＳ１０９において、画像形成装置１００の動作モードと空気清浄機７１の動作モードの合計の消費電力が所定値を超えていると判断された場合は、再び、手動で空気清浄機７１の動作モードを変更（設定）して（ステップＳ１０８）、再び、画像形成装置１００の動作モードと空気清浄機７１の動作モードの消費電力の合計が所定値を超えているか否かが判断される（ステップＳ１０９）。
【０１４２】
ステップＳ１０９において、画像形成装置１００の動作モードと空気清浄機７１の動作モードの合計の消費電力が所定値を超えていないと判断された場合は、ステップＳ１１０に進み、画像形成装置１００の動作モードと空気清浄機７１の動作モードを記憶して終了する。
【０１４３】
このようにして、動作テーブルに基づき画像形成装置１００の動作モードに応じて空気清浄機７１を動作制御するとともに、手動によって空気清浄機７１の動作モードを設定可能にすることで、画像形成装置１００の動作モードと空気清浄機７１の動作モードの合計の消費電力が所定値を超えることなく、空気清浄機７１の動作制御を行うことができる。
【０１４４】
以上のように構成したので、第１実施形態によれば、画像形成装置１００の各動作モードに対応して空気清浄機７１の動作モードを設定した動作テーブルを備え、空気清浄機７１の動作モードを消費電力の合計、送付ファンの回転数、表示部の点灯／消灯、の条件に基づきグループ分けして、空気清浄機７１の動作モードを、各グループにおいて画像形成装置１００の動作モードの消費電力と空気清浄機装置の動作モードの消費電力との合計の消費電力が所定値以下になるよう設定し、動作テーブルに基づいて画像形成装置１００の動作モードに対応して空気清浄機７１の動作制御を行うことで、画像形成装置１００の使用環境において電源コード等の限られた電力の制約の中で、使用電力が所定の値以上になることなく空気清浄機７１を有効に使用することができる。
【０１４５】
また、第１実施形態によれば、画像形成装置１００の動作モードを定着ヒータのＯＮ／ＯＦＦによりグループ分けして、画像形成装置１００の定着ヒータがＯＮの時は、空気清浄機７１のファン８２ｃの回転数（風速）を下げて、消費電力を抑えることで、画像形成装置１００及び空気清浄機７１に使用される電力の合計が所定値以上になることなく空気清浄機７１を有効に使用することができる。
【０１４６】
また、第１実施形態によれば、画像形成装置１００の待機状態（レディモード）及び動作状態（プリンタモード）に応じて、空気清浄機７１から空気が吹出される向きを制御して、空気清浄機７１からの正イオン及び負イオンの放出方向を変更して、待機状態のときには上部吹き出し口８１ｂを上方に向けて画像形成装置１００の上方に正イオン及び負イオンを放出することで空気の浄化を行い、動作状態のときには上部吹き出し口８１ｂを斜め下方に向けて正イオン及び負イオンにより画像形成装置１００の本体前側を覆うようにすることで排出ガスの臭気を除去することができ、１台の空気清浄機７１を２役で用いることができる。
【０１４７】
また、第１実施形態によれば、空気清浄機７１を画像形成装置１００の外側に別体で設けることで、画像形成装置１００の本体の大型化を避けることができる。また、この空気清浄機７１により室内の空気が浄化されるので、空気清浄機を別途設ける必要がなく、室内の空間を有効利用することができ、また設備費用を節減することができる。
【０１４８】
尚、第１実施形態では、空気清浄機７１により放出される正イオン及び負イオンの放出方向を、図２（ａ）に示すように矢印Ｄ方向の斜め下方に設定しているが、この正イオン及び負イオンの放出方向を矢印Ｄ方向だけに限定するものではなく、正イオン及び負イオンが画像形成装置１００を覆うように該画像形成装置１００側の向きに放出されるものであればよい。
【０１４９】
また、第１実施形態では、正イオン及び負イオンの放出方向を、図２（ｂ）に示すように、上方向（矢印Ｅ方向）に設定しているが、この正イオン及び負イオンの放出方向をこの矢印Ｅ方向だけに限定するものではなく、正イオン及び負イオンが図２（ｂ）の一点鎖線で示す上側の向きの範囲Ｘに放出されれば、正イオン及び負イオンの放出方向を変更してもよい。更に、上側の向きの範囲Ｘだけに限らず、室内全体に拡散するような画像形成装置１００とは逆側の向きに正イオン及び負イオンの放出方向を変更してもよい。
【０１５０】
また、第１実施形態によれば、空気清浄機７１を、図１及び図２（ａ）、（ｂ）に示すように支柱７２が本体の背面片側のコーナー１００ａに配置し、支柱７２により水平に片持ちとなるように構成したので、画像形成装置１００の上方スペースが開放されて、画像形成装置１００の使い勝手が損なわれることが無い。
【０１５１】
また、第１実施形態によれば、画像形成装置１００を、その背面側を壁等に向けて配置することで、空気清浄機７１が画像形成装置１００の背面側に設けられているため、空気清浄機７１が壁際に配置されて作業の邪魔にならない。
【０１５２】
（第２実施形態）
次に、本発明の第２実施形態について図面を参照して説明する。
図１２は本発明の第２実施形態に係る画像形成装置の構成を示す説明図、図１３は第２実施形態に係る空気清浄機の構成を示す説明図、図１４は前記空気清浄機による空気の吹出し方向を斜め下方に設定した状態を示す説明図である。
【０１５３】
第２実施形態に係る画像形成装置の構成は、空気清浄機７１Ａの構成を除き第１実施形態の画像形成装置１００と同様な構成を備えるものであるため説明を省略する。
また、第１実施形態の空気清浄機７１と同様な構成及び同様の作用を果たす部位には同じ符号を付することで説明を簡略する。
【０１５４】
第２実施形態に係る空気清浄機７１Ａは、図１２に示すように、第１実施形態に係る空気清浄機７１と同様に画像形成装置の本体の上方に設けられる。詳しくは、空気清浄機７１Ａは、画像形成装置１００の本体の背面中央に突設された支柱９３の上端に空気清浄機７１Ａの中央を安定的に支持されている。
【０１５５】
そして、空気清浄機７１Ａには、図１３に示すように、第１実施形態の空気清浄機７１の本体筐体８１及吹き出しダクト８４の代わりに、本体筐体８１Ａ及び吹き出しダクト８４Ａが設けられている。
【０１５６】
本体筐体８１Ａは、第１実施形態の本体筐体８１と同様に複数の吸入孔８１ａ及び上部吹き出し口８１ｂを有するだけではなく、側部吹き出し口８１ｃを有している。
【０１５７】
吹き出しダクト８４Ａは、相互に対向する第１可動ダクト壁９１及び第２可動ダクト壁９２を有している。
【０１５８】
第１可動ダクト壁９１は、その上端の軸９１ａを枢支されて、この軸９１ａ周りで矢印Ｈ方向に往復回動可能に設けられている。
【０１５９】
第２可動ダクト壁９２は、その下端の軸９２ａを枢支されて、この軸９２ａ周りで矢印Ｉ方向に往復回動可能に設けられている。
【０１６０】
第１可動ダクト壁９１及び第２可動ダクト壁９２の軸９１ａ，９２ａは、図示しないダクト用モータ駆動ユニットにより同時に回転駆動されて、図１４に示すように、矢印Ｈ方向及び矢印Ｉ方向に同時に回動するようになっている。
【０１６１】
次に、空気清浄機７１Ａによる空気の吹出し動作（作用）について図面を参照して説明する。
図１５は本発明の第２実施形態に係る画像形成装置において前記空気清浄機による空気の吹出し方向を上方向に設定した状態を示す説明図、図１６は前記画像形成装置において前記空気清浄機による空気の吹出し方向を斜め下方に設定した状態を示す説明図である。
【０１６２】
空気清浄機７１Ａは、画像形成装置１００内の制御部７４（図１を参照）により、画像形成装置１００の待機状態及び動作状態に応じてそのダクト用モータ駆動ユニットを駆動制御して、第１可動ダクト壁９１及び第２可動ダクト壁９２の軸９１ａ，９２ａが同時に回転するように制御されている。これにより、第１可動ダクト壁９１及び第２可動ダクト壁９２が図１３又は図１４に示すように選択的に変位するようになっている。
【０１６３】
第１可動ダクト壁９１及び第２可動ダクト壁９２は、図１３に示すように変位して位置決めされた状態では、第１可動ダクト壁９１が側部吹き出し口８１ｃを閉じるので、空気清浄機７１Ａにおける空気流が矢印Ｊ方向に発生し、各吸入孔８１ａ→吸入ダクト８３→ファンユニット８２内の各イオン発生素子８５近傍→吹き出し口８２ｂ→吹き出しダクト８４Ａ→上部吹き出し口８１ｂという経路で空気が流れて上方向に放出される。
【０１６４】
一方、第１可動ダクト壁９１及び第２可動ダクト壁９２が図１４に示すように変位して位置決めされた状態では、第１可動ダクト壁９１が側部吹き出し口８１ｃを開放し、第２可動ダクト壁９２が上部吹き出し口８１ｂを閉じるので、空気清浄機７１Ａにおける空気流が矢印Ｋ方向に発生し、各吸入孔８１ａ→吸入ダクト８３→ファンユニット８２内の各イオン発生素子８５近傍→吹き出し口８２ｂ→側部吹き出し口８１ｃという経路で空気が流れて斜め下方向に放出される。
【０１６５】
ここで、制御部７４は、画像形成装置１００を待機状態に設定すると、ダクト用モータ駆動ユニットを駆動制御して、第１可動ダクト壁９１及び第２可動ダクト壁９２の軸９１ａ，９２ａを同時に回転させ、図１３に示すように第１及び第２可動ダクト壁９１、９２を位置決めする。
【０１６６】
これにより、図１５に示すように、空気清浄機７１Ａの上部吹き出し口８１ｂから空気が正イオン及び負イオンと共に矢印Ｌ方向に示す上方向（画像形成装置１００とは逆側の向きもしくは上側の向き）に放出される。これにより、正イオン及び負イオンが室内全体に流れて拡散し、空気の浄化が効果的になされる。
【０１６７】
このとき、ファン８２ｃのモータの駆動制御によりファン８２ｃの回転速度を速くして、空気清浄機７１Ａからの空気の放出速度及び放出量を増大させ、正イオン及び負イオンの放出範囲をより広げてもよい。
【０１６８】
また、制御部７４は、画像形成装置１００を動作状態に設定すると、ダクト用モータ駆動ユニットを駆動制御して、第１可動ダクト壁９１及び第２可動ダクト壁９２の軸９１ａ，９２ａを同時に回転させ、図１４に示すように、第１可動ダクト壁９１及び第２可動ダクト壁９２を位置決めする。
【０１６９】
これにより、図１６に示すように、空気清浄機７１Ａの側部吹き出し口８１ｃから空気が正イオン及び負イオンと共に矢印Ｍ方向に示す斜め下方向（画像形成装置１００側の向き）に放出される。そして、この正イオン及び負イオンにより画像形成装置１００の本体前側が主に覆われ、利用者周辺の排出ガスの臭気が効果的に除去される。
【０１７０】
このとき、ファン８２ｃのモータの駆動制御によりファン８２ｃの回転速度を遅くして、正イオン及び負イオンを穏やかに拡散させ、正イオン及び負イオンにより画像形成装置１００の本体前側を確実に覆うようにしてもよい。
【０１７１】
従って、このような空気清浄機７１Ａを用いても、画像形成装置１００の待機状態及び動作状態に応じて正イオン及び負イオンの放出方向を変更し、待機状態のときには空気の浄化を行い、動作状態のときには排出ガスの臭気を除去することができる。
【０１７２】
尚、第２実施形態における空気清浄機７１Ａの動作制御は、第１実施形態と同様に動作図２に示す動作テーブルを用いて行われため、第１実施形態の説明を参照することで説明を省略する。
【０１７３】
以上、本発明の好適な実施形態について説明したが、本発明は、上述した実施形態に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１７４】
例えば、上述した実施形態では、画像形成装置の「動作状態」と「待機状態」を示しているが、画像形成装置１００の状態をこれに限定するものではない。例えば、画像形成装置１００の非動作状態が長く続いたときには、「待機状態」から消費電力の少ない「省電力状態」へと移り、更に「省電力状態」からより消費電力の少ない「スリープ状態」へと移り、印刷指示があったときに「動作状態」に戻るという節電制御を行うことがある。
【０１７５】
そのような「省電力状態」や「スリープ状態」に際しても、「待機状態」と同様に、排出ガスが発生しないため、空気清浄機からのイオンの放出方向を上方に向けて、イオンを上方に放出し続けてもよい。特に、夜間等においては、「スリープ状態」が設定されるので、空気清浄機からイオンを上方向に放出し続ければ、人が居ない間に、室内の空気を十分に浄化することができる。
【０１７６】
また、上述した実施形態では、画像形成装置１００には空気清浄機７１やモータ駆動ユニット７３が搭載されているが、画像形成装置１００に対して空気清浄機７１やモータ駆動ユニット７３をオプションで後付けすることができるようにしてもよい。
【０１７７】
この場合は、空気清浄機７１側にモータ駆動ユニット７３等を駆動制御するための制御部を予め設けておき、この制御部と画像形成装置１００の制御部７４とをシリアル通信用のケーブル並びにコンセントを介して接続し、両者の制御部間のデータ通信により、画像形成装置１００の制御部７４から空気清浄機７１側の制御部へと指示を送受して、空気清浄機７１側の制御部によりモータ駆動ユニット７３等を制御するようにしてもよい。
【０１７８】
更に、画像形成装置１００の構造や使用状況等に応じて、空気清浄機７１の取り付け位置を変更可能な構成にしてもよい。
【０１７９】
すなわち、上述した実施形態では、画像形成装置１００の背面側を壁等に向けて配置することを想定して、支柱９３を画像形成装置１００の背面側に突設し、この支柱９３の上端に空気清浄機７１（７１Ａ）を水平に支持しているが、画像形成装置１００の構造や使用状況によっては、画像形成装置１００の側面を壁等に向けて配置することがある。
【０１８０】
この場合は、支柱９３を画像形成装置１００の側壁に突設し、この支柱９３の上端に空気清浄機７１（７１Ａ）を支持すると、空気清浄機７１が壁際に配置されて、空気清浄機７１が邪魔になることはない。あるいは、支柱９３を用いずに、空気清浄機７１を垂直に取り付けたり、画像形成装置本体の外壁に直接取り付けてもよい。更に、複数の空気清浄機７１を分散して取り付けても構わない。
【符号の説明】
【０１８１】
１７  操作部
１８  入力部
１９  表示部
７１，７１Ａ  空気清浄機（空気清浄装置）
７４  制御部
８２  ファンユニット
８２ｃ  ファン（送風ファン）
８３  吸入ダクト
８４，８４Ａ  吹き出しダクト
８５  イオン発生素子
８５ａ  正イオン発生部
８５ｂ  負イオン発生部
１００  画像形成装置
１９１  プリンタキー
１９２  イメージ送信キー
１９３  コピーキー
【図１】
2011121272.tif 000003
【図２】
2011121272.tif 000004
【図３】
2011121272.tif 000005
【図４】
2011121272.tif 000006
【図５】
2011121272.tif 000007
【図６】
2011121272.tif 000008
【図７】
2011121272.tif 000009
【図８】
2011121272.tif 000010
【図９】
2011121272.tif 000011
【図１０】
2011121272.tif 000012
【図１１】
2011121272.tif 000013
【図１２】
2011121272.tif 000014
【図１３】
2011121272.tif 000015
【図１４】
2011121272.tif 000016
【図１５】
2011121272.tif 000017
【図１６】
2011121272.tif 000018